(57)【要約】【課題】分離ローラーに付着した紙粉を除去するため、専用の清掃治具を記録装置に装着する作業を行い、分離ローラーを回転させて紙粉を除去する操作を実行しなくてはならないという課題がある。【解決手段】用紙カセットに設けられ、給送ローラーと当接し、用紙を分離する分離ローラー９と、カセット収容部の上壁部１２に設けられ、用紙カセットのスライド移動に伴って、分離ローラー９が回転しながら接触可能なクリーニングユニット１１と、を備えた記録装置を提供する。【選択図】図１２
2016078982.tif 000002
【特許請求の範囲】
【請求項１】
媒体に記録を行う記録部と、
前記記録部を収容する筐体と、
前記媒体を積載する媒体積載部と、
前記筐体に設けられ、前記媒体積載部をスライド移動可能に収容する媒体積載部収容部と、
前記筐体に設けられ、前記媒体積載部に積載された前記媒体を前記記録部に向かって給送する給送ローラーと、
前記媒体積載部に設けられ、前記給送ローラーと当接し、前記媒体を分離する分離ローラーと、
前記媒体積載部収容部に設けられ、前記媒体積載部の前記スライド移動に伴って、前記分離ローラーが接触可能な清掃部と、を備えたことを特徴とする記録装置。
【請求項２】
請求項１に記載の記録装置であって、
前記媒体積載部のスライド方向における前記清掃部の端部に、前記スライド方向に対して傾斜する斜面が形成されていることを特徴とする記録装置。
【請求項３】
請求項１または請求項２に記載の記録装置であって、
前記清掃部には、摩擦部材と、前記摩擦部材を支持する支持部材とが備えられ、
前記支持部材における前記摩擦部材の周囲を囲む縁部は、
前記摩擦部材より、前記媒体積載部側に突出していることを特徴とする記録装置。
【請求項４】
請求項１から請求項３のいずれか一項に記載の記録装置であって、
前記媒体積載部には、前記媒体積載部が前記媒体積載部収容部に収容された状態において、前記スライド方向における前記媒体の前記給送ローラー側を押し上げる揺動部が備えられ、
前記清掃部は、前記揺動部の可動領域より、前記媒体積載部収容部の入口側に設けられていることを特徴とする記録装置。
【請求項５】
請求項１から請求項３のいずれか一項に記載の記録装置であって、
前記媒体積載部には、前記媒体積載部が前記媒体積載部収容部に収容された状態において、前記スライド方向における前記媒体の前記給送ローラー側を押し上げる揺動部が備えられ、
前記清掃部は、前記スライド方向において、前記揺動部の可動領域と重なる位置にあって、前記揺動部の回動軸側に設けられていることを特徴とする記録装置。
【請求項６】
請求項１から請求項５のいずれか一項に記載の記録装置であって、
前記媒体積載部収容部には、高さ方向における前記媒体積載部の位置を変動可能に支持するスライド面を有し、前記媒体積載部を前記スライド移動可能に支持するガイド部が備えられ、
前記媒体積載部がスライド移動する範囲において、前記分離ローラーが前記清掃部と対向する位置にあるとき、前記媒体積載部が最も前記清掃部に近い位置にあることを特徴とする記録装置。
【請求項７】
請求項１から請求項５のいずれか一項に記載の記録装置であって、
前記媒体積載部収容部には、前記媒体積載部の前記スライド移動に伴って前記分離ローラーと対向する複数の壁面が設けられ、
前記清掃部は、前記複数の壁面において最も前記媒体積載部に近い壁面に備えられることを特徴とする記録装置。
【請求項８】
請求項１から請求項７のいずれか一項に記載の記録装置であって、
前記スライド方向における、前記清掃部の長さは、前記分離ローラーの外周面の一周分の長さより長いことを特徴とする記録装置。
【請求項９】
請求項１から請求項８のいずれか一項に記載の記録装置であって、
前記清掃部は、前記媒体積載部収容部に着脱可能に備えられることを特徴とする記録装置。
【請求項１０】
請求項９に記載の記録装置であって、
前記清掃部は、前記スライド方向において、前記媒体積載部収容部の入口側に設けられていることを特徴とする記録装置。
【請求項１１】
請求項９または請求項１０に記載の記録装置であって、
前記清掃部には、取っ手部が設けられたことを特徴とする記録装置。
【発明の詳細な説明】
【技術分野】
【０００１】
本発明は、記録装置に関する。
【背景技術】
【０００２】
記録装置の一例としてのプリンターにおいて、複数の用紙（媒体）を積載し、装置本体に対して着脱可能な用紙カセットが従来から広く用いられている。このような記録装置には、用紙カセットに、用紙の分離を行う分離ローラーを備えたものがある（例えば、特許文献１）。分離ローラーは、用紙カセットが装置本体に装着された際に装置本体側の給送ローラーと接し、送り出される用紙を給送ローラーと分離ローラーとの間でニップすることにより、用紙の分離を行う。
【０００３】
分離ローラーに紙粉が付着すると、摩擦抵抗が小さくなり、用紙の分離が行われなくなる。そこで、例えば、特許文献２では、装置本体側に備えられた給送ローラー（ピックアップローラー）に付着した紙粉を除去するため、用紙カセット側に装着した清掃治具を用紙カセットごと挿入し、給送ローラーと清掃治具とを接触させた状態で給送ローラーを回転させて紙粉の除去を行う。このように、清掃治具を用いて分離ローラーに付着した紙粉を除去する方法が考えられる。
【先行技術文献】
【特許文献】
【０００４】
【特許文献１】特開２００６−３１５８３２号公報
【特許文献２】特開平１０−１７１６９号公報
【発明の概要】
【発明が解決しようとする課題】
【０００５】
しかしながら、特許文献２の方法を用いて分離ローラーに付着した紙粉を除去するためには、予め用意した専用の清掃治具を記録装置に装着する作業を行い、分離ローラーを回転させて紙粉を除去する操作を実行しなくてはならないという課題がある。
【課題を解決するための手段】
【０００６】
本発明は、上述の課題の少なくとも一部を解決するためになされたものであり、以下の形態または適用例として実現することが可能である。
【０００７】
［適用例１］媒体に記録を行う記録部と、前記記録部を収容する筐体と、前記媒体を積載する媒体積載部と、前記筐体に設けられ、前記媒体積載部をスライド移動可能に収容する媒体積載部収容部と、前記筐体に設けられ、前記媒体積載部に積載された前記媒体を前記記録部に向かって給送する給送ローラーと、前記媒体積載部に設けられ、前記給送ローラーと当接し、前記媒体を分離する分離ローラーと、前記媒体積載部収容部に設けられ、前記媒体積載部の前記スライド移動に伴って、前記分離ローラーが接触可能な清掃部と、を備えたことを特徴とする記録装置。
【０００８】
本適用例によれば、媒体積載部収容部に設けられ、媒体積載部のスライド移動に伴って、分離ローラーが接触可能な清掃部を備える。これにより、分離ローラーに付着した媒体粉砕物を除去し、分離ローラーに媒体粉砕物が付着することによる摩擦抵抗の低下を抑制する。従って、分離ローラーに付着した媒体粉砕物を除去するため、予め用意した専用の清掃治具を記録装置に装着する作業や、分離ローラーを回転させて媒体粉砕物を除去するための操作を必要としない。
【０００９】
［適用例２］前記媒体積載部のスライド方向における前記清掃部の端部に、前記スライド方向に対して傾斜する斜面が形成されていることを特徴とする上記記録装置。
【００１０】
本適用例によれば、媒体積載部のスライド移動に伴って、分離ローラーが斜面に当接し、分離ローラーが清掃部の位置に侵入する際の衝撃を最小にできる。これにより、分離ローラーや清掃部が破損することを防止できる。
【００１１】
［適用例３］前記清掃部には、摩擦部材と、前記摩擦部材を支持する支持部材とが備えられ、前記支持部材における前記摩擦部材の周囲を囲む縁部は、前記摩擦部材より、前記媒体積載部側に突出していることを特徴とする上記記録装置。
【００１２】
本適用例によれば、媒体積載部に積載された媒体が摩擦部材に当接することを抑制する。
【００１３】
［適用例４］前記媒体積載部には、前記媒体積載部が前記媒体積載部収容部に収容された状態において、前記スライド方向における前記媒体の前記給送ローラー側を押し上げる揺動部が備えられ、前記清掃部は、前記揺動部の可動領域より、前記媒体積載部収容部の入口側に設けられていることを特徴とする上記記録装置。
【００１４】
本適用例によれば、清掃部は揺動部の可動領域には設けられない。これにより、揺動部によって押し上げられた媒体の部分が清掃部に当接することを抑制する。
【００１５】
［適用例５］前記媒体積載部には、前記媒体積載部が前記媒体積載部収容部に収容された状態において、前記スライド方向における前記媒体の前記給送ローラー側を押し上げる揺動部が備えられ、前記清掃部は、前記スライド方向において、前記揺動部の可動領域と重なる位置にあって、前記揺動部の回動軸側に設けられていることを特徴とする上記記録装置。
【００１６】
本適用例によれば、揺動部によって押し上げられた媒体の部分が清掃部に当接することを抑制する。
【００１７】
［適用例６］前記媒体積載部収容部には、高さ方向における前記媒体積載部の位置を変動可能に支持するスライド面を有し、前記媒体積載部を前記スライド移動可能に支持するガイド部が備えられ、前記媒体積載部がスライド移動する範囲において、前記分離ローラーが前記清掃部と対向する位置にあるとき、前記媒体積載部が最も前記清掃部に近い位置にあることを特徴とする上記記録装置。
【００１８】
本適用例によれば、媒体積載部をスライド移動させ、分離ローラーが清掃部に対向する位置にあるとき、分離ローラーを清掃部に押圧した状態で移動させることができる。
【００１９】
［適用例７］前記媒体積載部収容部には、前記媒体積載部の前記スライド移動に伴って前記分離ローラーと対向する複数の壁面が設けられ、前記清掃部は、前記複数の壁面において最も前記媒体積載部に近い壁面に備えられることを特徴とする上記記録装置。
【００２０】
本適用例によれば、媒体積載部をスライド移動させ、分離ローラーが清掃部に対向する位置にあるとき、分離ローラーを清掃部に押圧した状態で移動させることができる。
【００２１】
［適用例８］前記スライド方向における、前記清掃部の長さは、前記分離ローラーの外周面の一周分の長さより長いことを特徴とする上記記録装置。
【００２２】
本適用例によれば、分離ローラーの外周面全体に付着した媒体粉砕物を除去する可能性が高くなる。
【００２３】
［適用例９］前記清掃部は、前記媒体積載部収容部に着脱可能に備えられることを特徴とする上記記録装置。
【００２４】
本適用例によれば、清掃部を別の清掃部に交換することにより、分離ローラーに付着された媒体粉砕物を除去する能力が低下することを抑制できる。
【００２５】
［適用例１０］前記清掃部は、前記スライド方向において、前記媒体積載部収容部の入口側に設けられていることを特徴とする上記記録装置。
【００２６】
本適用例によれば、清掃部を別の清掃部に交換する際の作業が容易である。
【００２７】
［適用例１１］前記清掃部には、取っ手部が設けられたことを特徴とする上記記録装置。
【００２８】
本適用例によれば、清掃部を別の清掃部に交換する際の作業がさらに容易である。
【図面の簡単な説明】
【００２９】
【図１】記録装置の外観斜視図。
【図２】用紙カセットの前側部分が筐体から引き出された状態の記録装置の外観斜視図。
【図３】用紙カセットの斜視図。
【図４】記録部の概略構成を説明するための側断面図。
【図５】用紙の搬送経路を説明するための側断面図。
【図６】用紙カセットの斜視図。
【図７】用紙カセットの端部に分離ローラーが備えられた部分の斜視図。
【図８】分離ローラーが備えられたローラーホルダーの斜視図。
【図９】（ａ）は、給送ローラーと、ローラーホルダーに備えられた分離ローラーを示す図、（ｂ）は、予備分離部を示す図。
【図１０】カセット収容部を底側から見た斜視図。
【図１１】（ａ）は、カセット収容部に備えられたクリーニングユニットを下側から見た斜視図、（ｂ）は、クリーニングユニットの断面図。
【図１２】（ａ）は、クリーニングユニットに対して前後方向に移動する分離ローラーを示す斜視図、（ｂ）は、クリーニングユニットに対して前後方向に移動する分離ローラーを示す側面図。
【図１３】（ａ）は、実施形態２において分離ローラーが移動する様子を示す模式図、（ｂ）は、実施形態３において分離ローラーが移動する様子を示す模式図。
【図１４】（ａ）は、実施形態４における用紙カセットを示す模式図、（ｂ）は、実施形態５における用紙カセットのエッジガイドが備えられた部分を示す斜視図。
【発明を実施するための形態】
【００３０】
（実施形態１）
以下、記録装置の一実施形態について、図面に従って説明する。各図に示すＸ−Ｙ−Ｚ直交座標系のうち、Ｘ方向及びＹ方向は水平方向であり、Ｘ方向は装置における左右方向であり、矢印方向は左側を示し、Ｙ方向は装置における前後方向であり、矢印方向は前側を示す。Ｚ方向は重力方向であり、また装置における高さ方向でもある。
【００３１】
図１は、本発明に係る記録装置１の外観斜視図である。記録装置１は、媒体の一例としての用紙Ｐにインクジェットによる記録を行うプリンター部２と、その上部に設けられるスキャナーユニット３とを備えて構成される。
【００３２】
図２は、用紙カセット４の前側部分が筐体７から引き出された状態の記録装置１の外観斜視図である。プリンター部２には、用紙カセット４が前後方向Ｙにスライド移動可能に備えられる。用紙カセット４には、使用者が把持するための取っ手部４１が設けられる。
【００３３】
用紙カセット４には、複数枚の媒体としての用紙（不図示）が積載される。用紙カセット４に積載された用紙は、１枚ずつプリンター部２内において記録され、載置部５に排出される。
【００３４】
図３は、用紙カセット４の斜視図である。用紙カセット４の用紙収容領域には、用紙（不図示）の幅方向（左右方向Ｘ）における側端をガイドするエッジガイド４２が、左右方向Ｘにスライド変位可能に設けられる。また、用紙の前後方向Ｙにおける前側端部をガイドするエッジガイド４３が、前後方向Ｙにスライド変位可能に設けられる。
【００３５】
図４は、プリンター部２の概略構成を説明するための側断面図である。用紙カセット４は、筐体７の下部に設けられたカセット収容部６に収容される。カセット収容部６の内側下部における左右方向Ｘの両側には、前後方向Ｙに延設され、用紙カセット４の下側角部を支持するガイド部１３が設けられる。用紙カセット４は、ガイド部１３に沿って前後方向Ｙにスライド移動する。
【００３６】
プリンター部２には、モーター（不図示）によって回転駆動される給送ローラー２３，２４が設けられている。用紙カセット４がカセット収容部６に装着された状態において、用紙カセット４の後側の上方に、給送ローラー２３，２４が位置する様に構成されている。
【００３７】
用紙カセット４の底部には、揺動軸４４ａを中心に揺動することにより、収容された用紙Ｐを押し上げるホッパー４４が設けられている。図５は、用紙Ｐの搬送経路を説明するための側断面図である。図５は、図４のホッパー４４が回動し、ホッパー４４の揺動軸４４ａと反対側が用紙Ｐの後端側を押し上げた状態を示す。図６は、用紙カセット４の斜視図であり、ホッパー４４の揺動軸４４ａと反対側が図３の状態から上がった状態を示す。
【００３８】
ホッパー４４が用紙Ｐの後端側を押し上げることで、収容された用紙Ｐのうち最上位のものが、図５に示す様に、給送ローラー２３に接触できる様になっている。この状態で給送ローラー２３が回転（正転）することにより、用紙カセット４から用紙Ｐが送り出される。図５における破線は、用紙カセット４から送り出される用紙Ｐの通過軌跡を示している。
【００３９】
図３、図５に示すように、用紙カセット４における後側の端部に分離ローラー９が設けられている。用紙カセット４がカセット収容部６に装着されると、分離ローラー９が、給送ローラー２４と接触する。これにより、給送ローラー２３によって送り出された用紙Ｐは、分離ローラー９と給送ローラー２４との間でニップされる。
【００４０】
図７は、用紙カセット４の後側から見た図で、用紙カセット４の後端部に分離ローラー９が備えられた部分の斜視図である。ローラーホルダー１０は、左右方向Ｘに所定の間隔を空けて２個並ぶ分離ローラー９、トルクリミッター１４を保持する。トルクリミッター１４は、分離ローラー９に所定の回転抵抗を与える。
【００４１】
ローラーホルダー１０は、左右方向Ｘの両端部に軸嵌合部１０ａをそれぞれ有し、軸嵌合部１０ａに用紙カセット４のカセット本体４０に形成された揺動軸４０ａが嵌合することで、ローラーホルダー１０がカセット本体４０に対して揺動可能に取り付けられる。
【００４２】
カセット本体４０側には、ばねホルダー１５が備えられ、ばねホルダー１５の内部には、コイルばね１９と、コイルばね１９の上端部に備えられたプレート１６とが保持される。
【００４３】
ローラーホルダー１０には下側に突出するリブ１０ｂが設けられ、ばねホルダー１５には開口部１５ａが設けられる。リブ１０ｂは開口部１５ａを通りばねホルダー１５の内側に入り込む。リブ１０ｂが開口部１５ａを通りばねホルダー１５内に入り込むことにより、ローラーホルダー１０は、プレート１６を介してコイルばね１９から付勢力を受ける。
【００４４】
分離ローラー９は、揺動可能なローラーホルダー１０に保持された状態で、コイルばね１９からの付勢力により、図５の給送ローラー２４を押圧し、給送ローラー２４との間で用紙Ｐをニップする。
【００４５】
給送ローラー２３によって送り出された用紙Ｐのうち最上位のものは、回転駆動される給送ローラー２４に接するので、給送ローラー２４から搬送力を受け、搬送方向における下流側へと進むことができる。しかしながら、給送されるべき最上位の用紙Ｐに連れられて重送されようとする次位以降の用紙Ｐは、給送ローラー２４から搬送力を受けない為、分離ローラー９の位置で停滞し、重送が防止される。
【００４６】
給送ローラー２４の下流側には、用紙Ｐを搬送する搬送ローラーとしての中間ローラー２６，２７が設けられている。中間ローラー２６，２７はほぼ同径であり、ともにモーターの動力を受けて、時計回り方向に回転駆動される。用紙カセット４から送り出された用紙Ｐは、回転自由に設けられたアイドルローラー２５に沿って上側に向きを変え、中間ローラー２６，２７から搬送力を受けて、搬送方向における下流側へ搬送される。
【００４７】
従動ローラー２９ａ、２９ｂは、中間ローラー２６との間で用紙Ｐをニップして従動回転する。従動ローラー２９ｃ、２９ｄは、中間ローラー２７との間で用紙Ｐをニップして従動回転する。
【００４８】
中間ローラー２７の下流側には、回転駆動される搬送ローラー対３１が設けられる。搬送ローラー対３１の下流側には、インクを吐出する記録ヘッド３５が、主走査方向（左右方向Ｘ）に移動するキャリッジ３４に備えられる。
【００４９】
記録ヘッド３５と対向する位置には、用紙Ｐを支持する支持部材３３が設けられている。搬送ローラー対３１によって搬送される用紙Ｐに対して記録ヘッド３５からインクが吐出されて用紙Ｐに記録される。
【００５０】
本実施形態における記録部８は、搬送ローラー対３１、キャリッジ３４に備えられた記録ヘッド３５、支持部材３３を含んで構成される。支持部材３３の下流側には、排出ローラー対３７，３８が設けられており、記録部８によって記録された用紙Ｐは、これら排出ローラー対によって排出される。
【００５１】
図８は、分離ローラー９が備えられたローラーホルダー１０を前側から見た斜視図である。ローラーホルダー１０の前側下部には、一対のフック部１８が設けられる。用紙カセット４には、ローラーホルダー１０が一方の方向または反対方向に回動した際に、フック部１８と当接可能な当接部（不図示）がそれぞれ設けられる。
【００５２】
フック部１８が用紙カセット４のそれぞれの当接部に当接することにより、用紙カセット４がカセット収容部６に装着された状態または用紙カセット４がカセット収容部６から引き出された状態におけるローラーホルダー１０の揺動限度を規定する。
【００５３】
ローラーホルダー１０の前側には、突出部１７が設けられる。突出部１７は、左右方向Xにおいて一対の分離ローラー９の間に設けられる。すなわち、突出部１７は、左右方向Xにおいて給送ローラー２４と重なる位置に配置される。
【００５４】
図９（ａ）は、左右方向Ｘから見た図で、給送ローラー２４と、ローラーホルダー１０に備えられた分離ローラー９を示す図である。図８、図９（ａ）の突出部１７の前面１７ａの上部には、予備分離部１７ｂが形成される。予備分離部１７ｂは、給送ローラー２４と分離ローラー９とのニップ位置より前側の位置に形成される。
【００５５】
図９（ｂ）は、図９（ａ）の破線で示した円Ｂ内を拡大し、前面１７ａに形成された予備分離部１７ｂを示す図である。予備分離部１７ｂは、前後方向Ｙに並ぶ複数の斜面１７０から構成される。一つの斜面１７０は、前面１７ａの左右方向Ｘに亘って形成される。
【００５６】
複数の斜面１７０は、前後方向Ｙにおいては隣り合う二つの斜面１７０の間に段差部１７１が設けられて前から順次後側に並び、高さ方向Ｚにおいては前から後側に向かうほど順次上側の位置に配置される。
【００５７】
このような構成により、図５の給送ローラー２３の回転により重なった状態で用紙の給送方向における下流側の端部が予備分離部１７ｂの位置に給送された場合には、上側の用紙が分離ローラー９側に給送され、下側の用紙の下流側の端部が予備分離部１７ｂの位置に残ることにより用紙が分離される。
【００５８】
図１０は、カセット収容部６を記録装置１の底側から見た斜視図である。図１０は、記録装置１の底板（不図示）を取り外し、カセット収容部６が露出した状態である。カセット収容部６の前側には、スライド移動する用紙カセット４が通る開口部６ａが形成される（図２参照）。
【００５９】
カセット収容部６は、筐体７の底部７ａから上側に立設する段差部６ｂ，６ｃ，６ｄ、および底部７ａより上側に位置し、水平方向に延在する上壁部１２によって囲まれる空間領域である。段差部６ｂ，６ｃは、カセット収容部６の左右方向Ｘの両側において、前後方向Ｙに延びる内壁面を形成し、段差部６ｄは、カセット収容部６の後側において左右方向Ｘに延びる内壁面を形成する。上壁部１２は、段差部６ｂ，６ｃ，６ｄと交わり、カセット収容部６の上側内壁面を形成する。
【００６０】
上壁部１２における後側には、給送ローラー２３，２４が備えられる。また、上壁部１２には、クリーニングユニット１１が設けられる。図５に示すように、クリーニングユニット１１は、上壁部１２の前後方向Ｙにおいて、ホッパー４４の可動領域Ｌ１より前側の位置に設けられる。
【００６１】
図１１（ａ）は、図１０のカセット収容部６の上壁部１２に備えられたクリーニングユニット１１を下側から見た斜視図である。クリーニングユニット１１は、前後方向Ｙに延びる２枚の板状の摩擦部材１１２と、摩擦部材１１２を支持する支持部材１１１とから構成される。
【００６２】
支持部材１１１には、貫通孔１１１ｅが形成され、上壁部１２には、貫通孔１１１ｅに嵌合し、貫通孔１１１ｅに係合可能な突出部１２１が設けられる。突出部１２１は、貫通孔１１１ｅから離脱可能である。従って、クリーニングユニット１１は、上壁部１２に対して着脱可能に装着される。突出部１２１を上壁部１２に備えた中間部材（不図示）に形成し、クリーニングユニット１１を、中間部材に対して着脱可能に装着してもよい。
【００６３】
支持部材１１１の左右方向Ｘの両端部には、前後方向Ｙに延在する被ガイド部１１１ｄが一対形成され、上壁部１２には、前後方向Ｙに延在し、前後方向Ｙから見た形状がＬ字状のガイド部１２２が設けられる。これにより、クリーニングユニット１１を上壁部１２に装着する際に、被ガイド部１１１ｄが上壁部１２とガイド部１２２との隙間Ｃに侵入した状態で、クリーニングユニット１１を前後方向Ｙにガイドすることができる。
【００６４】
支持部材１１１の前側中央部には、矩形状の貫通孔１１１ｆが形成される。貫通孔１１１ｆは、支持部材１１１を上壁部１２に対して着脱する際の取っ手部として構成される。
【００６５】
図１１（ｂ）は、図１１（ａ）の断面位置Ａ−Ａ´において左右方向Ｘから見たクリーニングユニット１１の断面図である。支持部材１１１の前側端部には左右方向Ｘに延設される斜面１１１ｂが形成され、支持部材１１１の後側端部には左右方向Ｘに延設される斜面１１１ａが形成される。
【００６６】
支持部材１１１の前後方向Ｙにおける両端部および左右方向Ｘにおける両端部には、一対の摩擦部材１１２を囲む縁部１１１ｃが形成される。縁部１１１ｃは、カセット収容部６に装着された用紙カセット４側に対して摩擦部材１１２より突出している。
【００６７】
図１２（ａ）は、クリーニングユニット１１に対して前後方向Ｙに移動する分離ローラー９を示す斜視図である。図１２（ｂ）は、クリーニングユニット１１に対して前後方向Ｙに移動する分離ローラー９を示す側面図である。尚、図１１（ａ）のガイド部１２２、被ガイド部１１１ｄは図示していない。
【００６８】
図１２（ａ）の左右方向Ｘにおいて、一対の摩擦部材１１２の中心間の距離は、一対の分離ローラー９の中心間の距離と同じである。また、左右方向Ｘにおいて、１枚の摩擦部材１１２の幅Ｌ２は、１個の分離ローラー９の幅Ｌ３より長く、一対の分離ローラー９は、一対の摩擦部材１１２と対応し、それぞれ重なる位置にある。
【００６９】
図１２（ｂ）の破線に示す分離ローラー９が、前後方向Ｙにおいてクリーニングユニット１１の位置にないとき、分離ローラー９と上壁部１２との間には、高さ方向Ｚにおける隙間Ｇ１が設けられ、分離ローラー９と上壁部１２とは接しない。
【００７０】
用紙カセット４のスライド移動に伴って、分離ローラー９（実線で示す）が摩擦部材１１２の位置を前後方向Ｙに移動するとき、揺動可能なローラーホルダー１０を介して、コイルばね１９（図７参照）の付勢力によって摩擦部材１１２を押圧するとともに、回転しながら移動する。
【００７１】
図４のカセット収容部６に装着された状態の用紙カセット４を前側にスライド移動させて引き出すとき、図１２（ｂ）の分離ローラー９は、斜面１１１ａ、縁部１１１ｃ、摩擦部材１１２の面１１２ａ、縁部１１１ｃ、斜面１１１ｂの順にそれぞれを押圧しながら前側（矢印方向Ｄ１）に移動する。
【００７２】
クリーニングユニット１１を押圧しながら分離ローラー９が前側に移動するとき、回転方向Ｄ２に回転しようとする分離ローラー９に対してトルクリミッター１４による回転抵抗が作用する。これにより、分離ローラー９の外周面９ａが摩擦部材１１２の面１１２ａと摺動し、分離ローラー９の外周面９ａに付着した紙粉（不図示）が除去される。
【００７３】
反対に、図２の筐体７の外側に引き出された状態の用紙カセット４を、カセット収容部６に装着させるため後側にスライド移動させるとき、分離ローラー９は、斜面１１１ｂ、縁部１１１ｃ、摩擦部材１１２の面１１２ａ、縁部１１１ｃ、斜面１１１ａの順にそれぞれを押圧するとともに回転しながら後側（矢印方向Ｄ１と反対方向）に移動する。
【００７４】
クリーニングユニット１１を押圧しながら分離ローラー９が後側に移動するとき、回転方向Ｄ２と反対方向に回転しようとする分離ローラー９に対してトルクリミッター１４による回転抵抗が作用する。これにより、分離ローラー９の外周面９ａが摩擦部材１１２の面１１２ａと摺動し、分離ローラー９の外周面９ａに付着した紙粉が除去される。
【００７５】
本実施形態では、分離ローラー９の正回転方向および逆回転方向に対する回転抵抗を与えるトルクリミッター１４を用いたが、分離ローラー９の正回転方向に対する回転抵抗を与え、逆回転方向に対する回転抵抗は与えないトルクリミッターを用いてもよい。
【００７６】
分離ローラー９の一方の回転方向に対しては回転抵抗を与え、反対方向の回転方向に対しては回転不可となるトルクリミッターを備えた場合は、分離ローラー９が回転せずに、分離ローラー９の外周面がクリーニングユニット１１の摩擦部材１１２と摺動する構成でもよい。
【００７７】
給送ローラー２３を図示しないカム部によって退避可能な構成を備え、用紙カセット４を、カセット収容部６に装着したり、カセット収容部６から取り外す際に、給送ローラー２３に分離ローラー９が当接しない構成を備えてもよい。
【００７８】
以上、本実施形態で説明した図４の記録装置１は、用紙Ｐに記録を行う記録部８と、記録部８を収容する筐体７と、用紙Ｐを積載する媒体積載部としての用紙カセット４と、筐体７に設けられ、用紙カセット４をスライド移動可能に収容する媒体積載部収容部としてのカセット収容部６と、筐体７に設けられ、用紙カセット４に積載された用紙Ｐを記録部８に向かって給送する給送ローラー２４と、用紙カセット４に設けられ、給送ローラー２４と当接し、用紙Ｐを分離する分離ローラー９と、カセット収容部６の上壁部１２に設けられ、用紙カセット４のスライド移動に伴って、分離ローラー９が回転しながら接触可能な清掃部としてのクリーニングユニット１１と、を備える。
【００７９】
この構成によれば、図１２（ｂ）の分離ローラー９の外周面９ａに付着した、紙粉（媒体粉砕物）を除去し、分離ローラー９に紙粉が付着することによる摩擦抵抗の低下を抑制する。従って、分離ローラー９に付着した紙粉を除去するため、予め用意した専用の清掃治具を記録装置１に装着する作業や、分離ローラー９を回転させて紙粉を除去するための操作を必要としない。
【００８０】
また、クリーニングユニット１１の前後方向Ｙの端部に、スライド方向（前後方向Ｙ）に対して傾斜する斜面１１１ａ，１１１ｂが形成されている。
【００８１】
これにより、用紙カセット４のスライド移動に伴って、分離ローラー９が斜面１１１ａ，１１１ｂに当接し、分離ローラー９がクリーニングユニット１１の位置に侵入する際の衝撃を最小にできる。これにより、分離ローラー９やクリーニングユニット１１が破損することを防止できる。
【００８２】
また、クリーニングユニット１１には、摩擦部材１１２と、摩擦部材１１２を支持する支持部材１１１とが備えられ、支持部材１１１における摩擦部材１１２の周囲を囲む縁部１１１ｃは、摩擦部材１１２より、用紙カセット４側に突出している。
【００８３】
これにより、用紙カセット４の収容能力の最大枚数または最大枚数に近い枚数の用紙が積載された状態で、用紙カセット４がスライド方向に対して傾いたとき、用紙Ｐの最上部が縁部１１１ｃに当接するので、用紙Ｐの最上部が摩擦部材１１２に当接することを抑制する。
【００８４】
また、用紙カセット４には、用紙カセット４がカセット収容部６に収容された状態において、前後方向Ｙにおける用紙Ｐの給送ローラー２４側を押し上げる揺動部としてのホッパー４４が備えられ、クリーニングユニット１１は、ホッパー４４の可動領域Ｌ１より、カセット収容部６の上壁部１２における入口（開口部６ａ）側に設けられている。
【００８５】
これにより、クリーニングユニット１１はホッパー４４の可動領域Ｌ１には設けられない。そのため、ホッパー４４によって押し上げられた用紙Ｐの部分がクリーニングユニット１１に当接することを抑制する。
【００８６】
また、前後方向Ｙ（スライド方向）における、クリーニングユニット１１の長さは、分離ローラー９の外周面の一周分の長さより長い。これにより、分離ローラー９の外周面全体に付着した紙粉を除去する可能性が高くなる。
【００８７】
また、クリーニングユニット１１は、カセット収容部６における上壁部１２に着脱可能に備えられる。これにより、クリーニングユニット１１を別のクリーニングユニット１１に交換することにより、記録装置１において、分離ローラー９に付着された紙粉を除去する能力が低下することを抑制できる。
【００８８】
また、図５のクリーニングユニット１１は、スライド方向において、カセット収容部６における上壁部１２の入口側に設けられている。これにより、クリーニングユニット１１を別のクリーニングユニット１１に交換する際の作業が容易である。
【００８９】
また、図１１（ａ）のクリーニングユニット１１には、取っ手部としての貫通孔１１１ｆが設けられる。これにより、クリーニングユニット１１を別のクリーニングユニット１１に交換する際の作業がさらに容易である。
【００９０】
本実施形態では、一つのクリーニングユニット１１を備えたが、用紙カセット４がスライド移動する際に分離ローラー９に当接可能な位置に、複数のクリーニングユニット１１を前後方向Ｙに並べて備えてもよい。
【００９１】
（実施形態２）
実施形態２では、用紙カセット４を支持するガイド部によって、分離ローラー９の高さ方向Ｚの位置を設定する構成について説明する。図１３（ａ）は、左右方向Ｘから見た図で、クリーニングユニット１１に対して前後方向Ｙに移動する分離ローラー９を示す模式図である。
【００９２】
実施形態１のガイド部１３と同様に、ガイド部１３ａは、図４のカセット収容部６における下側の左右方向Ｘの両側に設けられ、用紙カセット４は、ガイド部１３ａに支持されて前後方向Ｙにスライド移動する。
【００９３】
ガイド部１３ａには、第１のスライド面１３０と、第１のスライド面１３０より上側の位置にある第２のスライド面１３２とが前後方向Ｙに延設される。第１のスライド面１３０は、第２のスライド面１３２の前後方向Ｙの前側に形成され、斜面１３１によって接続される。用紙カセット４が第１のスライド面１３０、斜面１３１、第２のスライド面１３２に沿ってスライド移動すると、用紙カセット４の高さ方向Ｚの位置が変動する。
【００９４】
第２のスライド面１３２は、前後方向Ｙにおけるクリーニングユニット１１の位置に形成される。そのため、用紙カセット４が第２のスライド面１３２に支持されてスライド移動する範囲では、用紙カセット４が最もクリーニングユニット１１に近い位置にある。
【００９５】
実線で示す分離ローラー９は、前後方向Ｙにおいてクリーニングユニット１１の摩擦部材１１２の位置（分離ローラー９が摩擦部材１１２と対向する位置）にあり、用紙カセット４が第２のスライド面１３２に支持される位置にある。用紙カセット４のスライド移動に伴って、この位置にある分離ローラー９は、コイルばね１９（図７参照）の付勢力により、ローラーホルダー１０を介して摩擦部材１１２を押圧しながらスライド移動する。
【００９６】
破線で示す分離ローラー９は、クリーニングユニット１１から離れた前側または後側の位置にあることを示す。この位置にある分離ローラー９は、用紙カセット４が第２のスライド面１３２に支持される位置にあり、分離ローラー９と上壁部１２との間には隙間Ｇ２が設けられ、分離ローラー９は上壁部１２とは接しない。
【００９７】
二点鎖線で示す分離ローラー９は、前後方向Ｙにおいてクリーニングユニット１１より前側の位置にあり、用紙カセット４が第１のスライド面１３０に支持される位置にある。この位置にあって二点鎖線で示した分離ローラー９は、破線で示した分離ローラー９の位置より下側の位置にあり、上壁部１２とは接しない。
【００９８】
これにより、用紙カセット４が前側の位置（二点鎖線で示した分離ローラー９がクリーニングユニット１１より前側の位置にあるとき）で前後方向Ｙに対して傾斜しても、分離ローラー９が上壁部１２に衝突する可能性が低くなるので、分離ローラー９が上壁部１２に衝突して外周面が摩耗し、分離機能が低下することを抑制する。
【００９９】
以上、本実施形態のカセット収容部６には、高さ方向Ｚにおける用紙カセット４の位置を変動可能に支持するスライド面としての、第１のスライド面１３０、第２のスライド面１３２を有し、用紙カセット４をスライド移動可能に支持するガイド部１３ａが備えられる。用紙カセット４がスライド移動する範囲において、分離ローラー９がクリーニングユニット１１と対向する位置にあるとき、用紙カセット４が最もクリーニングユニット１１に近い位置にある。
【０１００】
このような構成により、用紙カセット４をスライド移動させ、分離ローラー９がクリーニングユニット１１に対向する位置にあるとき、トルクリミッター１４によって回転抵抗が付与された状態の分離ローラー９が回転しながら、クリーニングユニット１１を押圧した状態で移動することができる。
【０１０１】
（実施形態３）
実施形態３では、上壁部の高さ方向Ｚの壁面の位置によって、分離ローラー９の高さ方向Ｚの位置を設定する構成について説明する。図１３（ｂ）は、左右方向Ｘから見た図で、クリーニングユニット１１に対して前後方向Ｙに移動する分離ローラー９を示す模式図である。
【０１０２】
上壁部１２ａには、第１の壁面１２５より下側に突出する突出部１２７が設けられる。クリーニングユニット１１は、突出部１２７における第２の壁面１２６に設けられる。用紙カセット４が装着された状態において、第２の壁面１２６は、用紙カセット４に最も近い。
【０１０３】
実線で示す分離ローラー９は、前後方向Ｙにおいてクリーニングユニット１１の摩擦部材１１２の位置（分離ローラー９が摩擦部材と対向する位置）にあるとき、分離ローラー９は回転するとともに、摩擦部材１１２を押圧しながら移動する。
【０１０４】
破線に示す分離ローラー９が、前後方向Ｙにおいてクリーニングユニット１１から離れた前側または後側の位置にあるとき、分離ローラー９と第２の壁面１２６との間には隙間Ｇ３が設けられ、分離ローラー９は、第２の壁面１２６と接することなく移動する。
【０１０５】
第１の壁面１２５は、第２の壁面１２６より前側の位置にあって上側の位置に形成される。これにより、用紙カセット４が前側の位置にあって分離ローラー９が第１の壁面１２５と対向する位置にあるとき、用紙カセット４が前後方向Ｙに対して傾斜しても、分離ローラー９が上壁部１２に衝突する可能性が低くなるので、分離ローラー９が上壁部１２に衝突して外周面が摩耗し、分離機能が低下することを抑制する。
【０１０６】
以上、本実施形態のカセット収容部６には、用紙カセット４のスライド移動に伴って分離ローラー９と対向する、第１の壁面１２５、第２の壁面１２６が設けられ、クリーニングユニット１１は、最も用紙カセット４に近い第２の壁面１２６に備えられる。
【０１０７】
この構成によれば、用紙カセット４をスライド移動させたとき、トルクリミッター１４によって回転抵抗が付与された状態の分離ローラー９を回転させながら、クリーニングユニット１１を押圧した状態で移動させることができる。
【０１０８】
（実施形態４）
図１４（ａ）は、左右方向Ｘから見た図で、実施形態４におけるホッパー５２と分離ローラー５１を備えた用紙カセット５０を示す模式図である。前後方向Ｙにおいて、ホッパー５２の可動領域Ｌ４は、用紙カセット５０に用紙を収容可能な長さに占める割合が高い。
【０１０９】
本実施形態のクリーニングユニット５４は、前後方向Ｙにおいて、ホッパー５２の可動領域Ｌ４と重なる位置にあって、ホッパー５２の回動軸５５側に設けられている。これにより、ホッパー５２によって押し上げられた用紙の部分がクリーニングユニット５４に当接することを抑制する。
【０１１０】
（実施形態５）
図１４（ｂ）は、実施形態５における用紙カセット６０のエッジガイド６５が備えられた部分を示す斜視図である。用紙カセット６０は、底壁６２と、底壁６２から上方に立設し、前後方向Ｙに延在する左側壁６１とを有する。
【０１１１】
エッジガイド６５は、下側水平壁部６６、下側水平壁部６６から上方に立設し前後方向Ｙに延びる立設壁部６７、立設壁部６７の上部に接続されて内側（右側）に延びる上側水平壁部６８を有する。
【０１１２】
用紙カセット６０の底壁６２には、下側水平壁部６６の厚さ分だけ薄い底壁６３が形成される。これにより、下側水平壁部６６の上面の位置は、底壁６２の上面の位置と略同じ位置となり、下側水平壁部６６の上面および底壁６２の上面は、用紙カセット６０に収容される用紙の載置面となる。
【０１１３】
また、エッジガイド６５の下部には、下側水平壁部６６と接続されて左右方向Ｘに延びる支持部６９が形成される。底壁６３には、左右方向Ｘに長い貫通孔６４が形成される。支持部６９における下側水平壁部６６と接続される部分は、貫通孔６４を通り、支持部６９の左右方向Ｘに延びた部分は底壁６２，６３の下側に位置する。
【０１１４】
支持部６９の左右方向Ｘに延びた部分にはラックギア（不図示）が形成され、底壁６２の下側にはピニオンギア（不図示）が備えられる。ラックギアとピニオンギアとが噛合った状態で、支持部６９は、左右方向Ｘにスライド移動可能に備えられる。支持部６９のスライド移動に伴って、エッジガイド６５の下側水平壁部６６は、底壁６３の上面に沿って左右方向Ｘにスライド移動する。
【０１１５】
同様に、用紙カセット４の右側には、底壁６２から上方に立設し、前後方向Ｙに延在する右側壁（不図示）が設けられ、右側壁側にも、下側水平壁部、下側水平壁部から上方に立設し前後方向Ｙに延びる立設壁部、立設壁部の上部に接続されて内側（左側）に延びる上側水平壁部を有するエッジガイド（不図示）が左右方向Ｘにスライド移動可能に設けられる。
【０１１６】
このような構成により、エッジガイド６５の立設壁部６７は、用紙カセット６０に積載された用紙の幅方向（左右方向Ｘ）の端部を規制する。また、上側水平壁部６８は、用紙の上面を規制する。これにより、用紙カセットがスライド移動する際に、用紙がクリーニングユニットに当接することを抑制する。
【符号の説明】
【０１１７】
１…記録装置、４…用紙カセット、６…カセット収容部、６ａ…開口部、７…筐体、８…記録部、９…分離ローラー、９ａ…外周面、１１…クリーニングユニット、１３，１３ａ…ガイド部、２３…給送ローラー、４４…ホッパー、５５…回動軸、１１１…支持部材、１１１ａ，１１１ｂ…斜面、１１１ｃ…縁部、１１１ｆ…貫通孔、１１２…摩擦部材、１２５…第１の壁面、１２６…第２の壁面、１３０…第１のスライド面、１３２…第２のスライド面、Ｌ１，Ｌ４…可動領域、Ｐ…媒体、Ｙ…前後方向、Ｚ…高さ方向。
【図１】
2016078982.tif 000003
【図２】
2016078982.tif 000004
【図３】
2016078982.tif 000005
【図４】
2016078982.tif 000006
【図５】
2016078982.tif 000007
【図６】
2016078982.tif 000008
【図７】
2016078982.tif 000009
【図８】
2016078982.tif 000010
【図９】
2016078982.tif 000011
【図１０】
2016078982.tif 000012
【図１１】
2016078982.tif 000013
【図１２】
2016078982.tif 000014
【図１３】
2016078982.tif 000015
【図１４】
2016078982.tif 000016